(57)【要約】【課題】  ガードレール用円筒状支柱の補修にあたり、低コストで補修が可能であるガードレール用円筒状支柱の補修方法を提供すること。【解決手段】  コンクリート基礎に脚部が埋め込み固定されたガードレール用円筒状支柱の補修方法であって、古い支柱をコンクリート基礎面で切断除去し、コンクリート基礎面以下に埋め込まれている上記支柱の脚部の円筒状空間に、新たな円筒状支柱を挿入固定することを特徴とするガードレール用円筒状支柱の補修方法。【選択図】  図３
2006028820.tif 000002
【特許請求の範囲】
【請求項１】
コンクリート基礎に脚部が埋め込み固定されたガードレール用円筒状支柱の補修方法であって、古い支柱をコンクリート基礎面で切断除去し、コンクリート基礎面以下に埋め込まれている上記支柱の脚部の円筒状空間に、新たな円筒状支柱を挿入固定することを特徴とするガードレール用円筒状支柱の補修方法。
【請求項２】
新たな円筒状支柱内にコンクリートまたはモルタルを充填する請求項１に記載の補修方法。
【請求項３】
新たな円筒状支柱間にガードパイプを固定する請求項１に記載の補修方法。
【請求項４】
ガードパイプを、Ｕ字型バンドのＵ字部に挟み込み、該Ｕ字型バンドの両脚を支柱の側面の上下に設けた孔に挿入し、円筒内にコンクリートまたはモルタルを充填することにより固定する請求項３に記載の補修方法。
【発明の詳細な説明】
【技術分野】
【０００１】
本発明は、ガードレール用円筒状支柱の補修方法に関し、さらに詳しくは古くなった、或は損傷したガードレール用円筒状支柱を低コストで補修する方法に関する。
【背景技術】
【０００２】
従来、各種道路、各種建物、公園などの公共施設、各種工場敷地などには、通路を確保しかつ歩行者の安全を確保するために、種々のガードレールが設けられている。その一例を図１に示す。図示の例はガードレールの一部のみを示す図であって、コンクリート基礎１に脚部２が埋め込まれて固定された１本の支柱３とその側面に設けられた防護板４とから構成されている。このようなガードレールは長期間経過すると支柱の根本（コンクリート基礎から空気中に露出している境界）が腐食して、交換することが要求される。また、車両がガードレールに衝突した場合には支柱が曲がったり、折れたりして補修する必要が生じる。特許文献１にはガードレール補強方法に関する発明が記載されているが、該発明によっては本発明の課題が解決できない。
【特許文献１】特開平９−１３３３８号公報
【発明の開示】
【発明が解決しようとする課題】
【０００３】
上記の如きガードレール用円筒状支柱が腐食或は損傷を受けたりした場合、ガードレール用円筒状支柱を補修する必要があるが、円筒状支柱を交換する場合、古い支柱はそのコンクリート基礎ごと交換せねばならず、非常にコスト高であった。
従って本発明の目的は、ガードレール用円筒状支柱の補修にあたり、低コストで補修が可能であるガードレール用円筒状支柱の補修方法を提供することである。
【課題を解決するための手段】
【０００４】
上記目的は以下の本発明によって達成される。すなわち、本発明は、コンクリート基礎に脚部が埋め込み固定されたガードレール用円筒状支柱の補修方法であって、古い支柱をコンクリート基礎面で切断除去し、コンクリート基礎面以下に埋め込まれている上記支柱の脚部の円筒状空間に、新たな円筒状支柱を挿入固定することを特徴とするガードレール用円筒状支柱の補修方法を提供する。
【０００５】
上記補修方法においては、新たな円筒状支柱内にコンクリートまたはモルタルを充填することにより、新たな支柱を固定するとともに強度を向上させることが好ましい。また、新たな円筒状支柱間にガードパイプを固定する場合には、１つの方法として、Ｕ字型バンドを用意し、そのＵ字部に上記パイプを挟み込み、該Ｕ字型バンドの両脚を支柱の側面の上下に設けた孔に挿入し、円筒内にコンクリートまたはモルタルを充填することにより固定することが好ましい。
【発明の効果】
【０００６】
本発明によれば、ガードレール用円筒状支柱の補修に際し、古い支柱をコンクリート基礎ごと交換する必要がなく、古い支柱の脚部の円筒内に新規の支柱を埋め込むのみで、支柱の交換が可能であることから、ガードレール用円筒状支柱の補修を極めて低コストで実施することが可能である。
【発明を実施するための最良の形態】
【０００７】
次に好ましい実施の形態を示す図面を参照して本発明をさらに詳しく説明する。図１は従来のガードレール円筒状支柱の一部切り欠き断面図である。支柱３は円筒状（パイプ状）であり、その脚部２がコンクリート基礎１中に埋め込み固定されて、上部には防護板４が設けられている。本発明はこのようなガードレール用円筒状支柱を簡便かつ低コストで交換する方法である。
【０００８】
先ず、図１に示すように支柱３をコンクリート基礎面付近で切断する。切断した状態を図２に示す。切断されて残った脚部２はパイプ状であるので、その中には空間５が残っている。図３に示すように、この空間５内に、該空間の内径よりも小さい外径を有する新しい円筒状（パイプ状）支柱６を差し込み固定する。該固定に際し、事前に空間５の内部にコンクリートまたはモルタルを充填させ、支柱６を差し込み、コンクリートまたはモルタルの固化により支柱６を固定および補強することが好ましい。また、支柱６の脚部内にコンクリートまたはモルタル７を充填して支柱６を補強することも好ましい。
【０００９】
上記新しい支柱６に防護板を設ける場合は従来と同様にすればよい。また、新しい支柱６にガードパイプを取りつける場合には、図４に示す如きＵ字型バンド８を別途用意しておき、一方、支柱６には適当な位置に上記Ｕ字型バンド８の両脚９を挿入できる孔１０を上下に設けておき、該Ｕ字型バンド８の内側にガードパイプ１１を入れた状態で、上記両脚９を支柱６内に挿入し、支柱６の内部にコンクリートまたはモルタル７を流し込み固化させることで、ガードパイプ１１を支柱６に強固に固定することができる。勿論、ガードパイプ１１は１本でもよいし、図示するように複数本設けることもできる。なお、Ｕ字型バンド８の両脚の表面には凹凸１２を設けておいてコンクリートまたはモルタル７による固定を確実にすることが好ましい。
【００１０】
図５は、ガードパイプ１１の別の取付方法を説明する図である。図５に示す方法は、図４に示す方法と類似しており、使用するＵ字型バンド８の両脚９を長くして、ガードパイプ１１を保持した状態で、両脚９が支柱６の反対側まで貫通するようになっている。ガードパイプ１１を内部に挿入した状態で、Ｕ字型バンド８を支柱に設けてある孔に差し込み、支柱６の反対側に突出した脚部９の端部にねじ山を形成しておき、補強板１４を介してナット１３で固定するようにしている。この方法では支柱６内にコンクリートまたはモルタル７を充填しなくても、ガードパイプ１１は十分に固定できるが、支柱６内にコンクリートまたはモルタル７を注入して固化させて、ガードパイプ１１の保持および支柱６の強度を高めることが好ましい。
【産業上の利用可能性】
【００１１】
以上の如き本発明によれば、ガードレール用円筒状支柱の補修に際し、古い支柱をコンクリート基礎ごと交換する必要がなく、古い支柱の脚部の円筒内に新規の支柱を埋め込むのみで、支柱の交換が可能であることから、ガードレール用円筒状支柱の補修を極めて低コストで実施することが可能である。
【図面の簡単な説明】
【００１２】
【図１】従来のガードレールの支柱を説明する図。
【図２】本発明の方法を説明する図。
【図３】本発明の方法を説明する図。
【図４】本発明の方法を説明する図。
【図５】本発明の方法を説明する図。
【符号の説明】
【００１３】
１：コンクリート基礎
２：脚部
３：支柱
４：防護板
５：空間
６：支柱
７：コンクリートまたはモルタル
８：Ｕ字型バンド
９：Ｕ字型バンドの脚部
１０：孔
１１：ガードパイプ
１２：Ｕ字型バンドの脚部の凹凸
１３：ナット
１４：補強板
【図１】
2006028820.tif 000003
【図２】
2006028820.tif 000004
【図３】
2006028820.tif 000005
【図４】
2006028820.tif 000006
【図５】
2006028820.tif 000007